(57)【要約】【課題】本発明は音声報知機能付き加熱装置において、利用者の所望の音声データを提供することにより、言葉を聞き取りやすく、初心者に分かりやすく、音声報知を行うことで操作性の向上を図った加熱装置を供給すること。【解決手段】加熱部２と、制御手段１０と、入力手段８と、表示手段１１と、音声出力手段１４とを備え、音声出力手段１４に音声を出力する際、利用者の所望の音声に変更する音声出力制御手段１３を有してなる加熱装置。【選択図】図１
2006153420.tif 000002
【特許請求の範囲】
【請求項１】
食品を加熱する加熱部と、前記加熱部を制御する制御手段と、メニューの選択や加熱条件等を入力する入力手段と、加熱条件や制御状態を表示する表示手段と、操作ガイド等を音声で報知する音声出力手段と、音声データを記憶する複数の音声データ記憶部を備え、前記音声出力手段は前記複数の音声データ記憶部より音声データを選択する音声出力制御手段を有してなる加熱装置。
【請求項２】
食品を加熱する加熱部と、前記加熱部を制御する制御手段と、メニューの選択や加熱条件等を入力する入力手段と、加熱条件や制御状態を表示する表示手段と、操作ガイド等を音声で報知する音声出力手段と、前記音声出力手段は主の音声データと副の音声データとを選択する音声出力制御手段と、主の音声データを記憶する音声データ記憶部と、副の音声データを記憶した記憶手段を有し、前記音声出力手段は、前記音声データ記憶部と前記記憶手段に記憶された音声データを選択して音声出力する機能を有することを特徴とした加熱装置。
【請求項３】
音声データは、言語、地域、性別などで分類されており、利用者が任意に選択できることを特徴とした請求項１または２記載の加熱装置。
【請求項４】
記憶手段として、着脱可能な記憶媒体を用いた請求項２または３記載の加熱装置。
【請求項５】
着脱可能な記憶媒体は、特定の言語、地域の音声データが記憶されていることを特徴とした請求項４記載の加熱装置。
【請求項６】
着脱可能な記憶媒体は、特定の言語、地域、性別の音声データが記憶されていることを特徴とした請求項４記載の加熱装置。
【請求項７】
着脱可能な記憶媒体として、カード式の記憶媒体を備えた請求項４〜６のいずれか１項記載の加熱装置。
【請求項８】
音声データは、地域の調理頻度に応じて、優先して報知する内容を変更してなる請求項１または２記載の加熱装置。
【請求項９】
音声データは、地域習慣に応じて、優先して報知する順番を変更してなる請求項１または２記載の加熱装置。
【発明の詳細な説明】
【技術分野】
【０００１】
本発明は、音声出力機能を有する加熱装置における音声出力制御方法に関するものである。
【背景技術】
【０００２】
近年、調理機器などの加熱装置にマイクロコンピュータを搭載することが広く行われており、料理に応じた最適な条件で制御できるように、複数の動作制御プログラムが内蔵されている。そのため、工程の多い複雑な調理が初心者でもできるように、音声出力機能を用いて、調理ガイドを行うものがある（例えば特許文献１参照）。
【特許文献１】特公昭６０−５６９７７号公報
【発明の開示】
【発明が解決しようとする課題】
【０００３】
しかしながら、前記従来の構成では、あらかじめ決まった音声データの再生を行うのみであるため、言語、性別、方言等を選択できないため、聞き取り間違え、例えば海外出身の利用者は音声を聞き取ることができない、方言を用いる地域の人は、音声を聞き取り間違う恐れがある、などの種々の課題を有していた。
【０００４】
本発明は、前記従来の課題を解決するもので、誰でも使いやすく、なじみのある言葉の音声にて操作手順を報知できる加熱装置を提供することを目的とする。
【課題を解決するための手段】
【０００５】
前記従来の課題を解決するために、本発明の加熱装置は、食品を加熱する加熱部と、前記加熱部を制御する制御手段と、メニューの選択や加熱条件等を入力する入力手段と、加熱条件や制御状態を表示する表示手段と、操作ガイド等を音声で報知する音声出力手段と、音声データを記憶する複数の音声データ記憶部を備え、前記音声出力手段は前記複数の音声データ記憶部より音声データを選択する音声出力制御手段を備えている。
【０００６】
従って、音声出力制御手段で、入力手段で選択された複数の音声データから選択した音声を出力するよう制御する、あるいは音声データを記憶した着脱可能な記憶媒体を使用することにより、利用者の好んだ音声で音声報知することが可能になり、誰でも利用しやすい加熱装置を提供することができる。
【発明の効果】
【０００７】
本発明の加熱装置は、あらかじめ決まった音声データの再生を行うだけでなく、利用者のお好みの音声データにて音声ガイドを行うことが可能なため、誰でもわかりやすく、簡単に操作することが可能になり、操作性の向上を図ることができる。
【発明を実施するための最良の形態】
【０００８】
第１の発明は、食品を加熱する加熱部と、前記加熱部を制御する制御手段と、メニューの選択や加熱条件等を入力する入力手段と、加熱条件や制御状態を表示する表示手段と、操作ガイド等を音声で報知する音声出力手段と、音声データを記憶する複数の音声データ記憶部を備え、前記音声出力手段は前記複数の音声データ記憶部より音声データを選択する音声出力制御手段を備えることにより、利用者の好みに応じて音声を選択することができ、誰でも使いやすく、操作性の向上を図ることができる。
【０００９】
第２の発明は、食品を加熱する加熱部と、前記加熱部を制御する制御手段と、メニューの選択や加熱条件等を入力する入力手段と、加熱条件や制御状態を表示する表示手段と、操作ガイド等を音声で報知する音声出力手段と、前記音声出力手段は主の音声データと副の音声データとを選択する音声出力制御手段と、主の音声データを記憶する音声データ記憶部と、副の音声データを記憶した記憶手段を有し、前記音声出力手段は、前記音声データ記憶部と前記記憶手段に記憶された音声データを選択して音声出力する機能を備えることにより、利用者の好みに応じて音声を選択することができ、誰でも使いやすく、操作性の向上を図ることができる。
【００１０】
第３の発明は、特に、第１または第２の発明の加熱装置において、音声データは、言語、地域、性別などで分類されたものとし、利用者が任意に選択できる構成とすることにより、利用者の好みに応じた音声を選択することができるので、音声内容をより聞き取りやすく、理解しやすくでき、操作間違いが減り、操作性の向上を図ることができる。
【００１１】
第４の発明は、特に、第２または第３の発明の加熱装置において、他の同一機能を有した加熱装置にも使用することができ、操作性の向上を図ることができる。
【００１２】
第５の発明は、特に、特に、第２または第３の発明の加熱装置において、記憶手段として、着脱可能な記憶媒体を用いることにより、他の同一機能を有した加熱装置にも使用することができ、操作性の向上を図ることができる。
【００１３】
第６の発明は、特に、第４の発明の加熱装置において、着脱可能な記憶媒体に、特定の言語、地域、性別の音声データが記憶されていることにより、面倒な音声データ選択作業をすることなく、自動的に記憶媒体内の音声データを使用することができ、操作性の向上を図ることができると同時に、記憶媒体の価格も安価にできる。
【００１４】
第７の発明は、特に、第４〜６のいずれかの発明の加熱装置において、着脱可能な記憶媒体として、カード式の記憶媒体を備えることにより、利用者が、他の加熱装置にも使用する際、容易にコピーすることが可能になり、他の加熱装置に設定を容易に移行することができ、さらなる操作性の向上を図ることができる。
【００１５】
第８の発明は、地域の調理頻度に応じて、優先して報知する音声データの内容を変更することにより、対象地域での操作性向上を一層図るものである。
【００１６】
第９の発明は、地域習慣に応じて、優先して報知する順番を変更することにより、各地域での誤操作を効果的に抑制するものである。
【００１７】
以下本発明の実施の形態について、図面を参照しながら説明する。なお、この実施の形態によって本発明が限定されるものではない。
【００１８】
（実施の形態１）
図１は、本発明の第１の実施の形態における加熱装置の詳細ブロック図を示すものである。
【００１９】
図２に、代表的な加熱装置である電子レンジの外観構成図、図３に操作部を示す。
【００２０】
図２において、電子レンジの本体１内には、加熱室（加熱部）２が設けられている。本体１の前面には、メニューの選択等を行う複数のキー３と、調理時間等の設定を行うダイヤル４からなる操作部５と、メニューや調理時間等の表示を行う表示部６を設けている。一般的な電子レンジと同じである。
【００２１】
以上のように構成された加熱装置について、図１、図２および図３を用いて以下にその動作、作用を説明する。
【００２２】
まず、操作部５のキーで特定の操作をすると、音声データ選択画面となり、表示手段１１に、複数の音声データ記憶部２０のうち、ひとつひとつに格納されている音声データの説明（言語、話し手の性別、地域など）を表示し、利用者は操作部５のキーを用いて音声データを選択する。この際、選択した音声データの一部を音声出力制御手段１３が音声出力手段１４に信号を送信し、音声出力手段１４は、電子レンジ内部に取り付けられたスピーカにより音声を報知する。利用者は報知された音声を気に入れば、操作部５キーの特定の操作で決定をする。気に入らなければ再度選択しなおしができる。選択をやめる場合は操作部５のあるキーの押下をすることで、音声データ選択画面が解除される。
【００２３】
次に、操作部５にあるレンジキー７を押下すると、入力手段８は、マイクロコンピュータ９（以下マイコンと称す）内にある制御手段１０に信号を送り、制御手段１０は、初期出力値を選択し、表示手段１１に信号を送り、表示手段１１は表示部６に出力表示を行うと共に、音声出力制御手段１３にレンジの出力設定状態であることを送信する。音声出力制御手段１３は、次の操作手順を選択し、一定時間経過後、複数の音声データ記憶部１２のうちの以前に利用者が選択した音声データ記憶部１２から音声データを抽出し、音声出力手段１４に信号を送信し、音声出力手段１４は、電子レンジ内部に取り付けられたスピーカにより音声を報知する。
【００２４】
なお、音声データ記憶部１２に単一の音声データを格納し、別の音声データを他の記憶手段に格納する構成でも同様のことができる。
【００２５】
ここで、ダイヤル１５が回されると、入力手段８から、制御手段１０に信号が送られ、制御手段１０は、表示手段１１に信号を送り、表示手段１１は表示部６に変更された出力表示を行う。
【００２６】
続いて、操作部５内のダイヤル１７により、調理時間が設定され、スタートキー１８が押下されると、入力手段８から制御手段１０に信号が送られ、制御手段１０は、高周波発振器１９を制御して、加熱を開始する。
【００２７】
以上のように本実施の形態においては、利用者が、所望の言語、性別、方言等の違う音声データを選択できることにより、利用者の操作手順を所望の音声データで音声報知することができる。
【００２８】
これにより誰でも使いやすく、操作性が大幅に向上した加熱装置を提供することができる。
【００２９】
なお、利用者が選択した音声データがどこに格納されているかの情報は、マイコン９内のＲＡＭを使用して構わないが、電源ＯＦＦ時にも消去されない不揮発性メモリ等を設け、常に記憶するようにすれば、待機電力ＯＦＦ機能を搭載した加熱装置においても、常に記憶している情報を初期値に設定することができるので、操作性を低下させないでよい。
【００３０】
なお、記憶手段１６は、マイコン９内のＲＯＭを使用しても構わないが、使用言語、性別、方言あるいは話し手の年齢層、流行の言い回し等に応じて、多種多様な音声データに対応できるように、外部ＲＯＭ、書き換え可能なフラッシュＲＯＭ等を使用することもできる。
【００３１】
また、本実施の形態では、記憶手段１６にＩＣカード等の着脱可能な記憶手段を使用することにより、他の電子レンジでも、同様の設定を使用することが可能になり、さらに操作性を向上することができる。
【００３２】
さらに、本実施の形態では、記憶手段１６に特定の使用言語、性別、方言あるいは話し手の年齢層、流行の言い回しに特化した記憶媒体を使用することにより、媒体を安価に使用者に提供することができる。
【００３３】
（実施の形態２）
図４は、本発明の第２の実施の形態における加熱装置の音声出力制御処理のフローチャート図を示すものである。
【００３４】
図４において、入力手段８からキー・ダイヤル・ドアの開閉等の入力信号が入力されるか、調理が終了するなどの状態変化等がある場合、マイコン９は、この音声出力制御処理の中で、音声出力の処理を行う。
【００３５】
ステップＳ１で、キーなどによる状態変化があるか否かの判断がなされ、状態変化があればステップＳ２に移行する。ステップＳ２では、各メニューや状態に応じた状態番号を設定する。続いて、ステップＳ３に移行し、音声データ格納場所検索が行われ、利用者が選択した言語、話し手の性別、地域などに応じて別々に管理している音声データを探す作業をおこない、その音声データの先頭アドレスを取得する。
【００３６】
次に、Ｓ４に移り、状態番号に応じた音声パターンを取得する。これにより報知する内容が決定する。なお、ステップＳ３とステップＳ４はどちらが先でも構わない。
【００３７】
次に、ステップＳ５に移行し、状態番号に応じた音声報知するまでの待ち時間がセットされ、ステップＳ６に移行し、待ち時間が経過していなければ、ステップＳ１に戻り、待ち時間中にキー操作等により状態が変化すれば、再度ステップＳ２に移行し、次の音声が設定される。変化がなければ、ステップＳ５に移行し、待ち時間が経過するまで、ループする。ステップＳ５で待ち時間が経過すれば、ステップＳ６に移行し、音声出力手段１４にデータ送信し、音声報知を行う。
【００３８】
また、ステップＳ３の音声データ格納場所検索は、ステップＳ８〜Ｓ１１の方式を説明する。
【００３９】
まずＳ８において、あらかじめディフォルトの音声データの先頭アドレスを導きだしておく、つぎにＳ９において使用する音声データの種別選択を行う。利用者が全く種別選択を行っていない場合、あるいはディフォルトの音声データが選択されている場合は、そのままディフォルトの音声データの先頭アドレスを導くとして、何らかの音声データが選択されている場合は、Ｓ１０に移行して、選択されている音声データのアドレスを導き出す。
【００４０】
次にＳ１１に移行し、ここで導き出した音声データのアドレスを抽出し、音声出力を行うものである。ここで、Ｓ８であらかじめディフォルトの音声データのアドレスを設定したが、Ｓ８のステップは、Ｓ９でディフォルトの音声データが選択されている場合にＳ９のステップの次に行うようにしてもよい。
【００４１】
なお、利用者が選択した音声データが存在しないものであった場合、例えば着脱可能な記憶媒体が取り出されていた場合は、音声データの抽出ができないこととなる。
【００４２】
この場合、制御手段１０は警告音を発したり、異常を報知するために表示手段１１にその旨を表示するなどして、利用者に知らしめるようにする。あるいは報知せずにディフォルトの音声データを使用する、もしくは一切音声を発しないなどとしてもよい。
【００４３】
これらの構成により、利用者の設定に応じて、言語、話し手の性別、地域などが利用者にあった音声で使用状況に応じて音声報知することが可能になる。
【００４４】
なお、各地域に応じて、音声ガイドの内容や、報知の順番を変更することで、更に使い勝手を良くすることが可能となる。
【００４５】
具体的には、例えば、日本では、出力設定を行った後で、加熱時間を設定することが一般的な使用方法であるが、他の地域では、必ずしも、当該順番が妥当でない場合もあり、地域に応じて、報知順番等を、適宜、変更可能とするものである。
【産業上の利用可能性】
【００４６】
以上のように、本発明にかかる加熱装置は、利用者に合わせた言語、性別、方言等で音声報知できるようにしたことより、利用者が聞き取りやすく、理解しやすい音声報知が可能となり、操作性の大幅な向上を図ることができる。
【図面の簡単な説明】
【００４７】
【図１】本発明の実施の形態１における加熱装置の詳細ブロック図
【図２】本発明の実施の形態１における加熱装置の外観構成図
【図３】本発明の実施の形態１における加熱装置の操作部を示す図
【図４】本発明の実施の形態２における加熱装置のフローチャート
【符号の説明】
【００４８】
２  加熱部
８  入力手段
１０  制御手段
１１  表示手段
１２  音声データ記憶部
１３  音声出力制御手段
１４  音声出力手段
１６  記憶手段
【図１】
2006153420.tif 000003
【図２】
2006153420.tif 000004
【図３】
2006153420.tif 000005
【図４】
2006153420.tif 000006